(57)【要約】【課題】  利用者が所望の対象物（例えば、所望の選手）の状況と対象物に関する情報（例えば、選手のプロフィール等）とを同時に把握することを可能とする。【解決手段】  画像分析双眼鏡１００は、利用者の操作に応じて、表示される画像内に含まれる対象物のうちから任意の対象物を決定し、決定された対象物に係る情報を当該画像とともに画像表示手段１０２にて表示させる。【選択図】  図１
2005136835.tif 000002
【特許請求の範囲】
【請求項１】
撮像された画像を表示する画像表示手段と、
利用者の操作に応じて、前記画像内に含まれる対象物のうちから任意の対象物を決定する対象物決定手段とを有し、
前記画像表示手段は、前記対象物決定手段により決定された前記対象物に係る属性情報を、前記画像とともに表示することを特徴とする画像表示装置。
【請求項２】
前記対象物の画像データを外部装置に伝送し、前記外部装置から前記伝送された画像データに基づいて検索された前記対象物に係る属性情報を受信する通信手段を更に有し、
前記画像表示手段は、前記通信手段にて受信された前記対象物に係る属性情報を前記画像とともに表示することを特徴とする請求項１に記載の画像表示装置。
【請求項３】
一又は複数の対象物夫々に関する属性情報を蓄積する蓄積手段と、
前記対象物決定手段により決定された前記対象物に係る属性情報を前記蓄積手段より選択する情報選択手段とを更に有し、
前記画像表示手段は、前記情報選択手段により選択された前記対象物に係る属性情報を前記画像とともに表示することを特徴とする請求項１に記載の画像表示装置。
【請求項４】
前記画像表示手段は、利用者による選択操作の過程において順次選択されていく対象物に係る画像表示を、他の対象物に係る画像表示とは異ならせることを特徴とする請求項１乃至３の何れか１項に記載の画像表示装置。
【請求項５】
前記画像表示手段は、利用者により最終的に選択された対象物に係る画像表示を、他の対象物に係る画像表示とは異ならせることを特徴とする請求項１乃至４の何れか１項に記載の画像表示装置。
【請求項６】
前記画像表示手段は、前記画像中の任意の対象物を拡大表示することを特徴とする請求項１乃至５の何れか１項に記載の画像表示装置。
【請求項７】
前記対象物に係る属性情報は、前記対象物の説明事項であることを特徴とする請求項１乃至６の何れか１項に記載の画像表示装置。
【請求項８】
前記対象物の説明事項には、前記対象物である商品の製品名、メーカ名、価格及び発売予定日のうち少なくとも何れか一つが含まれることを特徴とする請求項７に記載の画像表示装置。
【請求項９】
前記対象物の説明事項には、前記対象物である選手の代表国名、背番号、選手名、所属チームのうち少なくとも何れか一つが含まれることを特徴とする請求項７に記載の画像表示装置。
【請求項１０】
前記対象物決定手段は利用者の視線を検出し、その視線位置の対象物を選択することを特徴とする請求項１乃至９の何れか１項に記載の画像表示装置。
【請求項１１】
前記対象物決定手段は音声認識手段を備え、操作者の音声指示により対象物を選択することを特徴とする請求項１乃至９の何れか１項に記載の画像表示装置。
【請求項１２】
撮像された画像を表示する画像表示装置による画像表示方法であって、
利用者の操作に応じて、前記画像内に含まれる対象物のうちから任意の対象物を決定し、
決定された前記対象物に係る属性情報を前記画像とともに表示することを特徴とする画像表示方法。
【請求項１３】
請求項１２に記載の画像表示方法をコンピュータに実行させるためのプログラム。
【請求項１４】
請求項１３に記載のプログラムを記録したコンピュータ読み取り可能な記録媒体。
【発明の詳細な説明】
【技術分野】
【０００１】
本発明は、撮像された対象物の画像を表示する例えば双眼鏡等の画像表示装置に関するものである。
【背景技術】
【０００２】
例えば、郊外の自然公園において子供が１匹の珍しいてんとう虫を捕まえた場合、どのような種類なのかを調べる手段を想定する。最近では、モバイル型のパーソナルコンピュータや携帯電話を用いてのインターネットによって調べることは可能となってきたが、昆虫図鑑や電子辞典を用いることが一般的である。
【０００３】
別の状況において、友人より携帯電話を貸してもらった場合、機種名、価格等を知りたい場合があるが、そのような場合は（１）友人に聞く、（２）メーカを調べ、メーカに聞く、もしくはインターネットで調べることが一般的である（例えば、ネット検索としては特許文献１参照）。
【０００４】
また、サッカー、ラグビー等の各種スポーツの観戦において、遠方に位置する選手を双眼鏡や望遠鏡等の光学拡大機器で拡大して見る場合がある。望遠鏡は、対物レンズおよび接眼レンズからなる光学レンズ系を有し、遠方にある物体の視角を拡大して見る光学器械であり、双眼鏡は、両眼について望遠鏡と同様の光学レンズ系をそれぞれ有し、両眼で遠方にある物体の視角を拡大して見る光学器械である。遠方に位置する選手を上記の光学拡大機器を用いて拡大観察することにより観戦を楽しむことができる。一方で、サッカーの試合中での選手の名前やプロフィール等の選手に付随する各種情報を選手名表示板やスコアボードや会場で配布又は持参したパンフレットをその都度、視覚的に見ながら観戦することで、現在の状況を把握し、観戦をより一層楽しむことができる。
【０００５】
【特許文献１】特開平１１−２１２９１８号公報
【発明の開示】
【発明が解決しようとする課題】
【０００６】
しかしながら、１匹の珍しいてんとう虫の種類を調べる手段は比較的面倒なことが多く、リアルタイムでの検索は困難である。また、携帯電話のメーカ名、機種名、価格等を調べる手段も、上記昆虫検索と同様で比較的面倒なことが多く、リアルタイムでの検索は困難である。更に、スポーツ観戦等においても、遠方に位置する選手や対象物を双眼鏡を用いて見ながら、上記の各種情報を視覚的に得ようとすると、双眼鏡の視野角は比較的狭いため、対象物から双眼鏡の視野を一旦外して、たとえば、選手名表示板やスコアボード等に双眼鏡の視野を向ける必要がある。視野とは、光学器械で実用上差し支えない程度にはっきりと結像される範囲をいう。このため、選手名表示板やスコアボード等から各種情報を視覚的に得ている間は、試合における決定的シーン等を見落としてしまうことがある。また、選手のプロフィールなどは試合会場には表示されていることは少なく、会場で配布されたものや、持参したパンフレットをその都度確認する必要がある。
【０００７】
すなわち、双眼鏡のように視野角が比較的狭いと、視線の移動だけで２つの対象の状況を把握できる場合に比べて、対象物の状況把握とこれに付随する各種情報とをリアルタイムに得ることが難しい。
【０００８】
本発明は、上記問題点に鑑みてなされたものであり、利用者が所望の対象物（例えば、所望の選手）の状況と対象物に関する情報（例えば、選手のプロフィール等）とを同時に把握することができる画像表示装置、画像表示方法、プログラム及び記録媒体を提供することを目的とする。
【課題を解決するための手段】
【０００９】
斯かる目的を達成するために、本発明の画像表示装置は、撮像された画像を表示する画像表示手段と、利用者の操作に応じて、前記画像内に含まれる対象物のうちから任意の対象物を決定する対象物決定手段とを有し、前記画像表示手段は、前記対象物決定手段により決定された前記対象物に係る属性情報を、前記画像とともに表示することを特徴とする。
【００１０】
本発明の画像表示方法は、撮像された画像を表示する画像表示装置による画像表示方法であって、利用者の操作に応じて、前記画像内に含まれる対象物のうちから任意の対象物を決定し、決定された前記対象物に係る属性情報を前記画像とともに表示することを特徴とする。
【００１１】
本発明のプログラムは、前記画像表示方法をコンピュータに実行させることを特徴とする。本発明のコンピュータ読み取り可能な記録媒体は、前記プログラムを記録したことを特徴とする。
【発明の効果】
【００１２】
本発明によれば、利用者が表示画像から所望の対象物を選択し、その選択された対象物に関する属性情報を表示画像とともに表示するように構成したので、利用者は所望の対象物の状況と対象物に関する属性情報とを同時に把握することが可能となる。
【発明を実施するための最良の形態】
【００１３】
以下、本発明を適用した好適な実施形態を、添付図面を参照しながら詳細に説明する。
【００１４】
＜第１の実施形態＞
本発明の第１の実施形態に係る画像分析双眼鏡１００の構成を図１に示す。第１の実施形態では、画像分析双眼鏡１００に映し出された対象物の画像において、音声、視線の動き及び手動の少なくとも何れか一つにより移動するポインタ（対象物選択手段）を用いることにより、前記画像中の任意の位置の対象物を選択し、その選択された対象物に関する属性情報を、無線によりデータベースから選択し、画像分析双眼鏡１００に映し出された対象物の画像上に瞬時に表示する、又は音声により出力することを可能にする画像分析双眼鏡を提案する。
【００１５】
まず画像分析双眼鏡１００の撮像部１０１について述べる。撮像部１０１は接眼レンズと、前記対象物の像を形成して前記接眼レンズの視野に入射する対物レンズを含む光学部と、ＣＣＤ又はＣＭＯＳ等の撮像素子とにより構成される。
【００１６】
画像表示部１０２はデジタル系の撮像部により撮像された画像及び文字情報を表示する表示部であり液晶表示装置又はプラズマ表示装置等で構成される。
【００１７】
音声出力部１０３は撮像画像中の任意の位置の選択された対象物に関する情報を音声で出力するスピーカ等である。入力部（１）１０４、（２）１０５は、画像中の任意の位置にある情報を必要とする対象物を選択する手段であり、本実施形態では、これらの入力部（１）１０４及び入力部（２）１０５を用いて、（１）視線位置、（２）音声による対象物の選択操作が可能であり、その他、不図示の入力部（３）（例えば、ジョイステック）を用いて手動による対象物の選択操作を行うことも可能である。
【００１８】
視線位置により対象物を選択する方法としては、周知の視線検出技術を用いて視線位置を判断し、その視線位置により画面上のポインタを動かして、所望の対象物を選択する。また、音声により対象物を選択する方法としては、周知の音声認識技術により、位置指定の言葉（上、下、右、左、右下、右上、左下、左上等）を理解し、画面上に表示されるポインタを動かして、所望の対象物を選択する。
【００１９】
前記撮像部１０１及び画像表示部１０２は画像処理部１０６と接続されている。又、音声出力部１０３は音声処理部１０７と接続され、入力部（１）１０４、（２）１０５は入力処理部１０８と接続され、これら３つの画像処理部１０６、音声処理部１０７、入力処理部１０８はメイン制御部１０９によって制御される。
【００２０】
通信部１１１は、選択された対象物の画像を、画像及び画像の説明情報が蓄積されているデータベース装置２００へ無線により送信する手段及び選択された対象物の画像と同一物の画像に付随する説明情報を無線により受信する手段である。又、通信制御部１１０は、通信部１１１を制御する手段であり、メイン制御部１０９によって制御される。
【００２１】
次に画像及び画像の説明情報が蓄積されているデータベース装置２００側の構成を説明する。
通信部２０１は、画像分析双眼鏡１００側から選択された対象物の画像を無線により受信する手段及び選択された対象物の画像と同一物の画像に付随する説明情報を、画像分析双眼鏡１００へ無線により送信する手段である。又、通信制御部２０２は、画像分析双眼鏡１００側と同様に通信部２０１を制御する手段であり、メイン制御部２０３によって制御される。
【００２２】
画像処理部２０４は受信した対象物の画像を処理する手段であり、通信制御部２０２及び画像比較部２０５と共にメイン制御部２０３によって制御される。画像比較部２０５は、送信された対象物の画像と画像蓄積部２０６であるデータベース内の画像とを比較して、送信された対象物と同一物の画像を選択する手段である。
【００２３】
次に図６のフローチャートを用いて、本実施形態に係る画像分析双眼鏡１００とデータベース装置２００の動作について説明する。
まず、画像分析双眼鏡１００を覗いている状態において、画像分析双眼鏡１００による撮影画像のリアルタイム表示が行われる（ステップＳ１０１）。次に、情報を必要とする撮影画像中の対象物を選択する手段を決定する（ステップＳ１０２）。対象物を選択する手段は、[視線入力（ステップＳ１０３）]、[音声入力（ステップＳ１０４）]、[手動入力（ステップＳ１０５）]のうちから決定される。
【００２４】
次に、画像分析双眼鏡１００は、上記決定された手段により情報を必要とする撮影画像中の対象物を選択する（ステップＳ１０６）。続いて、選択された対象物の画像を通信部１１１により画像が蓄積されているデータベース装置２００へ無線で送信する（ステップＳ１０７）。
【００２５】
次に、データベース装置２００は、送信された対象物の画像と同一物の画像を、画像比較手段２０５を用い、蓄積されているデータベース（画像蓄積手段２０６）から選択する（ステップＳ１０８）。
【００２６】
続いて、データベース装置２００は、選択された対象物の画像と同一物の画像に付随する説明情報（属性情報）を、画像分析双眼鏡１００へ通信手段２０１より無線で送信する（ステップＳ１０９）。
【００２７】
次に、画像分析双眼鏡１００は、画像表示部１０２を用いて、リアルタイム表示されている双眼鏡の撮像画像内に、送信された説明情報を表示する（ステップＳ１１０）。そして、最初の状態であるステップＳ１０１における撮影画像のリアルタイム表示の状態に戻る。以下、必要に応じてステップＳ１０２〜ステップＳ１１０の動作を繰り返す。
【００２８】
次に図３及び図４を用い、送信された説明情報を、リアルタイム表示されている画像分析双眼鏡１００の撮像画像内に表示する例を示す。
図３は、百科事典的な説明事項を表示する例であり、デジタルカメラを選択している例である。具体的な表示項目は（１）メーカ名、（２）製品名、（３）価格、（４）発売予定日等である。
【００２９】
図４は、スポーツ観戦における説明事項を表示する例であり、サッカー選手を選択している例である。具体的な表示項目は（１）代表国名、（２）背番号、（３）選手名、（４）所属チーム名、（５）プロフィール等である。
【００３０】
以上の様な構成で、上記のような動作を行い、特に画像分析双眼鏡１００に映し出された対象物の画像において、音声、視線の動き及び手動の少なくとも何れか一つにより移動するポインタ（対象物選択手段）を用いることにより、前記画像中の任意の位置の対象物を選択し、その選択された対象物に関する情報を、無線によりデータベースから選択し、双眼鏡に映し出された対象物の画像上に瞬時に表示する、又は音声により出力することを可能にする。
【００３１】
＜第２の実施形態＞
本発明の第２の実施形態に係る画像分析双眼鏡３００の構成を図２に示す。第２の実施形態では、画像分析双眼鏡３００に映し出された対象物の画像において、音声、視線及び手動の少なくとも何れか一つに応じて移動するポインタ（対象物選択手段）を用いることにより、前記画像中の任意の位置の対象物を選択し、その選択された対象物に関する情報を、メモリに内蔵されたデータベースから選択し受け取ることにより、当該情報を映し出された対象物の画像上に瞬時に表示する、又は音声により出力することを可能にする画像分析双眼鏡を提案する。
【００３２】
まず画像分析双眼鏡３００の撮像部３０１について述べる。撮像部３０１は接眼レンズと、前記対象物の像を形成して前記接眼レンズの視野に入射する対物レンズを含む光学系の撮像部と、ＣＣＤ又はＣＭＯＳ等の撮像素子を用いたデジタル系の撮像部により構成される。
【００３３】
画像表示部３０２はデジタル系の撮像部により撮像された画像及び文字情報を表示する表示部であり液晶表示装置又はプラズマ表示装置等で構成される。
【００３４】
音声出力部３０３は撮像画像中の任意の位置の選択された対象物に関する情報を音声で出力するスピーカ等である。入力部（１）３０４、（２）３０５は、画像中の任意の位置にある情報を必要とする対象物を選択する手段であり、本実施形態では、これらの入力部（１）３０４及び入力部（２）３０５を用いて、（１）視線、（２）音声による対象物の選択操作が可能であり、その他、不図示の入力部（３）を用いて（３）手動による対象物の選択操作を行うことも可能である。
【００３５】
前記撮像部３０１及び画像表示部３０２は画像処理部３０６と接続されている。又、音声出力部３０３は音声処理部３０７と接続され、入力部（１）３０４、（２）３０５は入力処理部３０８と接続され、これら３つの画像処理部３０６、音声処理部３０７、入力処理部３０８はメイン制御部３０９によって制御される。
【００３６】
画像処理部３０６は受信した対象物の画像を処理する手段であり、画像比較部３１０と共にメイン制御部３０９によって制御される。画像比較部３１０は、対象物の画像と画像蓄積部３１１であるデータベース内の画像とを比較して、対象物と同一物の画像を選択する手段である。ここで画像蓄積部３１１は、内蔵されているハードディスク（メモリチップ等）もしくは取り外し可能なハードディスク（メモリチップ等）のどちらでも構成可能であり、一又は複数の対象物の画像と対応付けて夫々に関連する属性情報を蓄積する。
【００３７】
次に図７のフローチャートを用いて、第２の実施形態に係る画像分析双眼鏡３００の動作について説明する。
まず、画像分析双眼鏡３００を覗いている状態において、画像分析双眼鏡３００による撮影画像のリアルタイム表示が行われる（ステップＳ２０１）。次に、画像分析双眼鏡３００は、情報を必要とする撮影画像中の対象物を選択する手段を決定する（ステップＳ２０２）。対象物を選択する手段は、[視線入力（ステップＳ２０３）]、[音声入力（ステップＳ２０４）]、[手動入力（ステップＳ２０５）]のうちから決定される。
【００３８】
次に、画像分析双眼鏡３００は、情報を必要とする撮影画像中の対象物を選択し（ステップＳ２０６）、選択された対象物の画像を画像が蓄積されているデータベース（画像蓄積手段３１１）へ送信する（ステップＳ２０７）。
【００３９】
次に、画像分析双眼鏡３００は、画像比較部３１０を用いて、送られた対象物の画像と同一物の画像をデータベース（画像蓄積部３１１）から選択する（ステップＳ２０８）。
【００４０】
次に、画像分析双眼鏡３００は、画像表示部３０２を用いて、選択された対象物の画像と同一物の画像に付随する説明情報（属性情報）を撮像画像内に表示する（ステップＳ２０９）。そして、最初の状態であるステップＳ２０１における撮影画像のリアルタイム表示の状態に戻る。以下、必要に応じてステップＳ２０２〜ステップＳ２０９の動作を繰り返す。
【００４１】
以上の様な構成で、上記のような動作を行い、特に画像分析双眼鏡３００に映し出された対象物の画像において、音声、視線の動き及び手動の少なくとも何れか一つにより移動するポインタ（対象物選択手段）を用いることにより、前記画像中の任意の位置の対象物を選択し、その選択された対象物に関する属性情報を、メモリに内蔵されたデータベースから選択し受け取ることにより、当該情報を映し出された対象物の画像上に瞬時に表示する、又は音声により出力することを可能にする。
【００４２】
＜第３の実施形態＞
次に、本発明の第３の実施形態に係る画像分析双眼鏡について説明する。第３の実施形態では、最終的に対象物が選択決定された時点から、選択された対象物を別表示する例を提案する。本実施形態の画像分析双眼鏡の構成としては、上記第１及び第２の実施形態の何れの構成にも適用可能であるが、以下では第１の実施形態の構成を適用した場合について説明する。
【００４３】
次に図８のフローチャートを用いて、第３の実施形態に係る画像分析双眼鏡１００とデータベース装置２００の動作について説明する。まず、双眼鏡を覗いている状態において、画像分析双眼鏡１００による撮影画像のリアルタイム表示が行われる（ステップＳ３０１）。
【００４４】
次に、画像分析双眼鏡１００は、情報を必要とする撮影画像中の対象物を選択する手段を決定する（ステップＳ３０２）。対象物を選択する手段は、[視線入力（ステップＳ３０３）]、[音声入力（ステップＳ３０４）]、[手動入力（ステップＳ３０５）]のうちから決定される。
【００４５】
次に、画像分析双眼鏡１００は、上記決定された手段により情報を必要とする撮影画像中の対象物を選択する（ステップＳ３０６）。続いて、ユーザにより、選択された対象物をハイライト又は矢印表示する為のスイッチ入力が画像分析双眼鏡１００に対して行われると（ステップＳ３０７）、選択された対象物が別表示される（選択された対象物に係る画像表示（ハイライト又は矢印表示等）と他の対象物に係る画像表示とを異ならせる）。本実施形態では、選択された対象物を別表示する手段として、（ア）対象物をハイライト表示する手段、又は（イ）対象物を矢印表示する手段が挙げられる。尚、上記の別表示は、ユーザにより最終的に選択された対象物に限らず、対象物の選択操作の過程において順次選択されていく対象物夫々を対象としてもよい。
【００４６】
次に、画像分析双眼鏡１００は、選択された対象物の画像を通信手段１１１により画像が蓄積されているデータベース装置２００へ無線で送信する（ステップＳ３０８）。
【００４７】
データベース装置２００は、送信された対象物の画像と同一物の画像を、画像比較手段２０５を用い、蓄積されているデータベース（画像蓄積手段２０６）から選択する（ステップＳ３０９）。
【００４８】
次に、データベース装置２００は、選択された対象物の画像と同一物の画像に付随する説明情報を、画像分析双眼鏡１００へ通信手段２０１により無線送信する（ステップＳ３１０）。
【００４９】
画像分析装置１００は、送信された説明情報を、リアルタイム表示されている双眼鏡の撮像画像内に画像表示部１０２により表示する（ステップＳ３１１）。
【００５０】
次に、ユーザは、選択された対象物をハイライト又は矢印表示を終了する為のスイッチ入力を画像分析装置１００に対して行う（ステップＳ３１２）。そして、画像分析装置１００は、最初の状態であるステップＳ３０１の撮影画像のリアルタイム表示の状態に戻る。以下、必要に応じてステップＳ３０２〜ステップＳ３１２の動作を繰り返す。
【００５１】
次に図５を用い、選択された対象物を別表示する例を示す。
図５において、対象物指示１はハイライト表示の例を示し、対象物指示２は矢印表示の例を示している。以上の様な構成で上記のような動作を行うことにより、選択された対象物を別表示することが可能となり、選択された対象物を見失うことが無く、使い勝手が更に向上する。
【００５２】
＜第４の実施形態＞
次に、本発明の第４の実施形態に係る画像分析双眼鏡について説明する。第４の実施形態では、特に図示していないが、画像分析双眼鏡において、任意の対象物、例えば微視的な対象物を光学的に拡大する顕微鏡の機能を兼用できる例を提案する。このように顕微鏡の機能も兼用できることにより、使い勝手の良い装置が提供できる。
【００５３】
以上に説明したように、上記実施形態に係る画像分析双眼鏡によれば、双眼鏡に映し出された対象物の画像において、音声、視線及び手動の少なくとも何れか一つに応じて移動するポインタ（対象物選択手段）を用いることにより、前記画像中の任意の位置の対象物を瞬時に選択し、その選択された対象物に関する情報を、無線によりデータベースから選択しもしくは、メモリに内蔵されたデータベースから選択し受け取ることにより、双眼鏡に映し出された対象物の画像上に瞬時に表示することを可能にする。よって、使い勝手の良い画像分析双眼鏡及び画像分析双眼鏡を用いた画像分析情報提供サービスを提供することが可能となる。また、選択された対象物を別表示することが可能となり、選択された対象物を見失うことが無く、使い勝手を更に向上させることが可能となる。
【００５４】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５５】
この場合、記憶媒体から読み出されたプログラムコード自体が前述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５９】
【図１】本発明の第１の実施形態に係る画像分析双眼鏡の構成を示した図である。
【図２】本発明の第２の実施形態に係る画像分析双眼鏡の構成を示した図である。
【図３】画像分析双眼鏡の撮像画像内における表示例を示した図である。
【図４】画像分析双眼鏡の撮像画像内における表示例を示した図である。
【図５】選択された対象物を別表示する場合の画像表示例を示した図である。
【図６】本発明の第１の実施形態に係る画像分析双眼鏡とデータベース装置との動作の流れを示したフローチャートである。
【図７】本発明の第２の実施形態に係る画像分析双眼鏡の動作の流れを示したフローチャートである。
【図８】本発明の第３の実施形態に係る画像分析双眼鏡とデータベース装置との動作の流れを示したフローチャートである。
【符号の説明】
【００６０】
１００、３００  画像分析双眼鏡
１０１、３０１  撮像部
１０２、３０２  画像表示部
１０３、３０３  音声出力部
１０４、３０４  入力部（１）
１０５、３０５  入力部（２）
１０６、２０４、３０６  画像処理部
１０７、３０７  音声処理部
１０８、３０８  入力処理部
１０９、２０３、３０９  メイン制御部
１１０、２０２  通信制御部
１１１、２０１  通信部
２００  データベース装置
２０５、３１０  画像比較部
２０６、３１１  画像蓄積部
【図１】
2005136835.tif 000003
【図２】
2005136835.tif 000004
【図３】
2005136835.tif 000005
【図４】
2005136835.tif 000006
【図５】
2005136835.tif 000007
【図６】
2005136835.tif 000008
【図７】
2005136835.tif 000009
【図８】
2005136835.tif 000010